(57)【要約】【課題】バッテリー寿命の長期化を図るとともに、バッテリー残量の判断精度を向上させる。【解決手段】キセノン管９を発光させる電荷を蓄積する発光用コンデンサ７の充電残量を検出する際、実際に充電電圧を印加することが不可欠な回路構成において、所定の検出タイミングで、昇圧回路２が発光用コンデンサ７に印加すべき充電電圧の目標値を第１の電圧値に設定して充電動作を開始させた後、その充電動作の開始当初の発光用コンデンサ７における電荷の蓄積状態を確認し、確認した電荷の蓄積状態が所定の基準レベルに達していない場合、目標電圧値を第１の電圧値よりも高い第２の電圧値に切り替えて充電動作を継続させる。発光用コンデンサ７の充電残量の検出開始当初におけるバッテリー１の負荷を軽減するとともに、バッテリー電圧が大きく降下する回数を必要最小限とすることができる。【選択図】      図１
2008182801.tif 000002
【特許請求の範囲】
【請求項１】
発光素子を発光させる電荷を蓄積する発光用コンデンサに対する、バッテリーを電源とした、充電動作を制御する充電制御装置であって、
前記発光用コンデンサにおける電荷の蓄積状態を検出する検出手段と、
所定の検出タイミングで、前記充電動作により発光用コンデンサに印加すべき充電電圧の目標電圧値を第１の電圧値に設定して充電動作を開始させ、その充電動作の開始当初に前記検出手段により検出された電荷の蓄積状態が所定の第１基準レベルに達していない場合、前記目標電圧値を前記第１の電圧値よりも高い第２の電圧値に切り替えて充電動作を継続させる制御手段と
を備えたことを特徴とする充電制御装置。
【請求項２】
前記制御手段は、前記目標電圧値を第２の電圧値に切り替えた後に前記検出手段により検出される電荷の蓄積状態が所定の第２基準レベルに達した場合、前記充電動作を停止させることを特徴とする請求項１記載の充電制御装置。
【請求項３】
前記制御手段は、前記充電動作の開始当初に前記検出手段により検出された電荷の蓄積状態が前記第１基準レベルに達している場合、前記目標電圧値を前記第２の電圧値よりも低い所定の電圧値に設定した状態で充電動作を継続させることを特徴とする請求項１または２に記載の充電制御装置。
【請求項４】
前記第２の電圧値よりも低い所定の電圧値は前記第１の電圧値であり、
前記制御手段は、前記充電動作の開始当初に前記検出手段により検出された電荷の蓄積状態が前記第１基準レベルに達している場合、前記目標電圧値を前記第１の電圧値に設定したままで充電動作を継続させることを特徴とする請求項３記載の充電制御装置。
【請求項５】
前記制御手段は、前記充電動作の開始当初に前記検出手段により検出された電荷の蓄積状態が前記第１基準レベルに達している場合、充電動作を停止させることを特徴とする請求項１記載の充電制御装置。
【請求項６】
前記第１の電圧値は、前記所定の検出タイミングでの充電動作の開始当初のみ前記制御手段により前記目標電圧値として設定される電圧値であることを特徴とする請求項１記載の充電制御装置。
【請求項７】
前記第１または第２基準レベルを設定する設定手段をさらに備えたことを特徴とする請求項１乃至６いずれか記載の充電制御装置。
【請求項８】
発光素子を発光させる電荷を蓄積する発光用コンデンサに対する、バッテリーを電源とした、充電動作を制御する充電制御方法であって、
所定の検出タイミングで、前記発光用コンデンサに印加すべき充電電圧の目標電圧値を第１の電圧値に設定して充電動作を開始させる工程と、
その充電動作の開始当初の前記発光用コンデンサにおける電荷の蓄積状態を確認する工程と、
確認した電荷の蓄積状態が所定の基準レベルに達していない場合、前記目標電圧値を前記第１の電圧値よりも高い第２の電圧値に切り替えて充電動作を継続させる工程と
を含むことを特徴とする充電制御方法。
【請求項９】
コンピュータに、
発光素子を発光させる電荷を蓄積する発光用コンデンサに対する、バッテリーを電源とした、充電動作の制御に際し、
所定の検出タイミングで、前記発光用コンデンサに印加すべき充電電圧の目標電圧値を第１の電圧値に設定して充電動作を開始させる手順と、
その充電動作の開始当初の前記発光用コンデンサにおける電荷の蓄積状態を確認する手順と、
確認した電荷の蓄積状態が所定の基準レベルに達していない場合、前記目標電圧値を前記第１の電圧値よりも高い第２の電圧値に切り替えて充電動作を継続させる手順と
を実行させることを特徴とする充電制御プログラム。
【発明の詳細な説明】
【技術分野】
【０００１】
本発明は、発光素子を発光させる電荷を蓄積する発光用コンデンサに対する、バッテリーを電源とした、充電動作を制御する充電制御装置、及び充電制御方法、充電制御プログラムに関する。
【背景技術】
【０００２】
従来、デジタルカメラ等のカメラ装置においては、例えば下記特許文献１に記載されているもののように、カメラ本体に収容されたバッテリーの電圧を昇圧し、それを大容量の発光用コンデンサに充電しておき、撮影時には、トリガ信号に応じて発光用コンデンサに蓄えられている電荷をトリガコイルを介して放電管（キセノン管等）に与えることにより、それを放電発光させる閃光装置（フラッシュ）を内蔵したものが一般的である。この種のカメラ装置では、通常、撮影時にシャッター速度や絞り値を制御しても必要な露出が確保できないときには、発光素子から補助光を発光させるように構成されている。
【特許文献１】特開２００２−２３２７７２号公報
【発明の開示】
【発明が解決しようとする課題】
【０００３】
上記のような閃光装置を内蔵するカメラ装置では、撮影に際して必要なとき直ちに補助光が使用できるよう、発光用コンデンサには、少なくとも発光素子としての放電管（ランプ）による発光が可能な程度の一定以上の充電量を定常的に確保しておくことが望ましい。そのため、シャッターキーによる撮影指示がない間についても、例えば一定期間毎やシャッターキーが半押しされた時点で発光用コンデンサの充電残量を検出する必要がある。
【０００４】
しかしながら、カメラ装置内の回路構成が、発光用コンデンサの充電残量を検出するとき、実際に発光用コンデンサに対して充電を行う必要があるものの場合には、以下の問題があった。すなわち発光用コンデンサの充電に際しては発光用コンデンサに大電流を流す必要がありバッテリーへの負荷が大きく、充電残量の検出を行う毎にバッテリー電圧が大きく降下することとなる。そのため充電残量の検出回数が増えると、その分だけバッテリー寿命が短くなる。また、バッテリー電圧が大きく降下する回数が増えることにより、バッテリー残量の判断精度が低下するという問題があった。
【０００５】
本発明は、かかる従来の課題に鑑みてなされたものであり、バッテリー寿命の長期化を図るとともに、バッテリー残量の判断精度を向上させることが可能となる充電制御装置、及び充電制御方法、充電制御プログラムを提供することを目的とする。
【課題を解決するための手段】
【０００６】
前記課題を解決するため請求項１の充電制御装置にあっては、発行素子を発光させる電荷を蓄積する発光用コンデンサに対する、バッテリーを電源とした、充電動作を制御する充電制御装置であって、前記発光用コンデンサにおける電荷の蓄積状態を検出する検出手段と、所定の検出タイミングで、前記充電動作により発光用コンデンサに印加すべき充電電圧の目標電圧値を第１の電圧値に設定して充電動作を開始させ、その充電動作の開始当初に前記検出手段により検出された電荷の蓄積状態が所定の第１基準レベルに達していない場合、前記目標電圧値を前記第１の電圧値よりも高い第２の電圧値に切り替えて充電動作を継続させる制御手段とを備えたことを特徴とする。
【０００７】
また、請求項２の充電制御装置にあっては、前記制御手段は、前記目標電圧値を第２の電圧値に切り替えた後に前記検出手段により検出される電荷の蓄積状態が所定の第２基準レベルに達した場合、前記充電動作を停止させることを特徴とする。
【０００８】
また、請求項３の充電制御装置にあっては、前記制御手段は、前記充電動作の開始当初に前記検出手段により検出された電荷の蓄積状態が前記第１基準レベルに達している場合、前記目標電圧値を前記第２の電圧値よりも低い所定の電圧値に設定した状態で充電動作を継続させることを特徴とする。
【０００９】
また、請求項４の充電制御装置にあっては、前記第２の電圧値よりも低い所定の電圧値は前記第１の電圧値であり、前記制御手段は、前記充電動作の開始当初に前記検出手段により検出された電荷の蓄積状態が前記第１基準レベルに達している場合、前記目標電圧値を前記第１の電圧値に設定したままで充電動作を継続させることを特徴とする。
【００１０】
また、請求項５の充電制御装置にあっては、前記制御手段は、前記充電動作の開始当初に前記検出手段により検出された電荷の蓄積状態が前記第１基準レベルに達している場合、充電動作を停止させることを特徴とする。
【００１１】
また、請求項６の充電制御装置にあっては、前記第１の電圧値は、前記所定の検出タイミングでの充電動作の開始当初のみ前記制御手段により前記目標電圧値として設定される電圧値であることを特徴とする。
【００１２】
また、請求項７の充電制御装置にあっては、前記第１または第２基準レベルを設定する設定手段をさらに備えたことを特徴とする。
【００１３】
また、請求項８の充電制御方法にあっては、発行素子を発光させる電荷を蓄積する発光用コンデンサに対する、バッテリーを電源とした、充電動作を制御する充電制御方法であって、所定の検出タイミングで、前記発光用コンデンサに印加すべき充電電圧の目標電圧値を第１の電圧値に設定して充電動作を開始させる工程と、その充電動作の開始当初の前記発光用コンデンサにおける電荷の蓄積状態を確認する工程と、確認した電荷の蓄積状態が所定の基準レベルに達していない場合、前記目標電圧値を前記第１の電圧値よりも高い第２の電圧値に切り替えて充電動作を継続させる工程とを含むことを特徴とする。
【００１４】
また、請求項９の充電制御プログラムにあっては、コンピュータに、発光素子を発光させる電荷を蓄積する発光用コンデンサに対する、バッテリーを電源とした、充電動作の制御に際し、所定の検出タイミングで、前記発光用コンデンサに印加すべき充電電圧の目標電圧値を第１の電圧値に設定して充電動作を開始させる手順と、その充電動作の開始当初の前記発光用コンデンサにおける電荷の蓄積状態を確認する手順と、確認した電荷の蓄積状態が所定の基準レベルに達していない場合、前記目標電圧値を前記第１の電圧値よりも高い第２の電圧値に切り替えて充電動作を継続させる手順とを実行させることを特徴とする。
【発明の効果】
【００１５】
本発明によれば、発光用コンデンサの充電残量の検出開始当初におけるバッテリーの負荷を軽減するとともに、バッテリー電圧が大きく降下する回数を必要最小限とすることにより、バッテリー寿命の長期化を図るとともに、バッテリー残量の判断精度を向上させることが可能となる。
【発明を実施するための最良の形態】
【００１６】
以下、本発明の好ましい実施の形態を図にしたがって説明する。図１は、閃光装置が内蔵されたデジタルカメラの要部であって、主として閃光装置を構成する部分を示した回路図である。
【００１７】
図示したように、本実施形態の閃光装置は、主としてデジタルカメラの電源であるバッテリー１の電圧を昇圧するための昇圧回路２及び充電制御ＩＣ３と、昇圧回路２による昇圧後の出力電圧、すなわち充電電圧をいわゆる抵抗分割により低圧の帰還電圧に変換し充電制御ＩＣ３のＦＢ端子にフィードバックする充電量検出回路４と、前記充電電圧を第１及び第２の逆流防止用ダイオード５，６を介して印加される発光用コンデンサ７、発光制御素子８、発光素子としてのキセノン管９から構成されている。
【００１８】
発光用コンデンサ７に印加される充電電圧は、充電制御ＩＣ３が、ＦＢ端子に入力する前記帰還電圧の値を予め記憶されている参照電圧値と比較し、その結果に応じてＳＷ端子に接続された昇圧回路２への電流がｄｕｔｙ制御されることにより所定の目標電圧値に維持される。
【００１９】
本実施形態において上記目標電圧値は、満充電のときの発光用コンデンサ７の電圧（以下、上限電圧という）より高い低速充電用の第１の電圧値、又は高速充電用の第２の電圧値であって、第１の電圧値は上限電圧との差が小さく発光用コンデンサ７への充電が低速で行われる電圧、第２の電圧値は上限電圧との差が大きく発光用コンデンサ７への充電が高速に行われる電圧である。そして、充電制御ＩＣ３には上記の参照電圧値として２種類の目標電圧値にそれぞれ対応する値、さらに上記上限電圧に対応する参照電圧値、及び前記ｄｕｔｙ制御用のデータが記憶されている。
【００２０】
前記発光制御素子８は、任意の撮影タイミングで充電制御ＩＣ３のＩＧＢＴ端子からＩＧＢＴ信号が出力されたとき、それに応答して発光用コンデンサ７の電圧を２ＫＶ以上に昇圧してキセノン管９に発光トリガを与えることによってそれを発光（放電）させる。
【００２１】
前記充電制御ＩＣ３の動作はデジタルカメラの全体の動作を制御するＣＰＵ１０により制御されている。具体的には、ＣＰＵ１０から送られるＣＨＧ信号によって発光用コンデンサ７への充電動作を開始したり終了したりするとともに、充電動作中には、充電電圧をＣＵＲＲＮＴ−ＣＨＧ信号により指示された目標電圧値（第１の電圧値、又は第２の電圧値）に維持する。また、ＣＰＵ１０から送られるＩＧＢＴ−ＯＮ信号が送られたとき、それに応答して発光制御素子８にＩＧＢＴ信号を出力する。なお、充電制御ＩＣ３は、ＦＢ端子に入力する前記帰還電圧の値が上記上限電圧に対応する参照電圧値となった時点で、その旨を示すＣＨＧ−ＥＮＤ信号をＣＰＵ１０に出力する。
【００２２】
また、前述した第１及び第２の逆流防止用ダイオード５，６の間とＧＮＤとの間には、前記充電量検出回路４と同様、いわゆる抵抗分割により発光用コンデンサ７の電圧、すなわち充電残量（最大３２０Ｖ程度）をＣＰＵ１０で検出可能な電圧レベルに変換し、ＣＰＵ１０へ出力する残量検出回路１１が設けられている。これにより、ＣＰＵ１０が発光用コンデンサ７の充電残量を適宜検出可能となっている。つまり残量検出回路１１が本発明の検出手段である。
【００２３】
そして、上述した回路構成においては、前記第２の逆流防止用ダイオード６が発光用コンデンサ７の蓄積電荷がＧＮＤに流れることを防止するために必要である一方、この第２の逆流防止用ダイオード６の存在により、発光用コンデンサ７の充電残量を検出するためには実際に充電電圧を印加することが不可欠となっている。
【００２４】
一方、前記ＣＰＵ１０は、カメラ装置が有する図外のメモリに記憶されているプログラムに基づき、図２に示した後述する充電制御を行うことにより本発明の制御手段として機能する。
【００２５】
図２は、前記ＣＰＵ１０が、カメラ装置においてシャッターキーが撮影予告を行うための半押し位置に操作された時点、所謂ハーフシャッターの操作タイミングで実行する閃光装置の充電制御に関する処理手順を示したフローチャートである。
【００２６】
以下説明すると、ＣＰＵ１０はハーフシャッター操作に応答して処理を開始し、まず充電制御ＩＣ３に対し充電電圧を前述した第１の電圧値（小電圧）に設定すべき旨のＣＵＲＲＮＴ−ＣＨＧ信号を送り（ステップＳ１）、さらに充電動作を開始する旨のＣＨＧ信号を送ることにより、充電制御ＩＣ３に、第１の電圧値による発光用コンデンサ７の充電動作を開始させる（ステップＳ１）。そして、係る充電動作中に残量検出回路１１の出力電圧に基づき発光用コンデンサ７の充電残量を確認する（ステップＳ３）。
【００２７】
引き続き、確認した充電残量が、キセノン管９の発光が可能な充電残量であって予め決められている基準充電残量以上であるか否かを確認し、基準充電残量（第１基準レベル）以上でなければ（ステップＳ４でＮＯ）、その時点で、充電制御ＩＣ３に対し充電電圧の目標電圧値を前述した第２の電圧値（大電圧）に設定すべき旨のＣＵＲＲＮＴ−ＣＨＧ信号を送ることにより、充電電圧を第２の電圧値に切り替える（ステップＳ５）。
【００２８】
その後、発光用コンデンサ７が満充電となり、それを示すＣＨＧ−ＥＮＤ信号が充電制御ＩＣ３から送られるまで、第２の電圧値を目標とした充電動作を継続させる（ステップＳ６でＮＯ）。つまり発光用コンデンサ７を高速充電する。
【００２９】
そして、発光用コンデンサ７が満充電（第２基準レベル）となった時点で（ステップＳ６でＹＥＳ）、充電制御ＩＣ３に対し充電動作を終了する旨のＣＨＧ信号を送ることにより、充電制御ＩＣ３に発光用コンデンサ７の充電動作を終了させ（ステップＳ７）、処理を完了する。
【００３０】
また、前述したステップＳ４の判別結果がＹＥＳであって、ハーフシャッター操作に応じて確認した発光用コンデンサ７の充電残量が基準充電残量以上であった場合においては、充電電圧を第２の電圧値に切り替えることなく第１の電圧値に維持したまま、発光用コンデンサ７が満充電となるまで充電動作を継続する（ステップＳ６でＮＯ）。つまり発光用コンデンサ７を低速充電する。
【００３１】
そして、発光用コンデンサ７が満充電となった時点で（ステップＳ６でＹＥＳ）、充電制御ＩＣ３に発光用コンデンサ７の充電動作を終了させ（ステップＳ７）、処理を完了する。
【００３２】
なお、ここでは便宜上、ＣＰＵ１０がハーフシャッター操作に応答して無条件に発光用コンデンサ７の充電残量を検出するものとして説明したが、実際には、ハーフシャッター操作時点で発光用コンデンサ７が満充電の状態にあるとき（充電制御ＩＣ３からＣＨＧ−ＥＮＤ信号が送られているとき）には、当然、充電残量を検出する（充電動作を開始させる）ことなく直ちに処理を完了する。
【００３３】
以上のように本実施形態においては、シャッターキーが半押しされる毎に発光用コンデンサ７の充電残量を検出するとともに、それが基準充電残量に達していないときには、発光用コンデンサ７を急速に充電することにより、発光用コンデンサ７の充電状態をキセノン管９の発光が可能な状態まで短時間で回復させる。これにより、撮影に際して必要なときには、直ちに補助光を使用することが可能となる。
【００３４】
一方、上記充電残量の検出に伴う充電動作に際しては、動作初期の充電電圧を常に第１の電圧値に設定することから、動作初期に流れる電流を小さくすることができる。したがって、前述したように発光用コンデンサ７の充電残量を検出するためには実際に充電電圧を印加することが不可欠である回路構成であっても、例えば充電残量の検出開始当初から充電電圧を急速充電用の第２の電圧値とする場合と比べると、検出開始当初におけるバッテリーの負荷を軽減することができる。
【００３５】
つまり検出開始時点の充電残量が基準充電残量以上である状況下においては、バッテリーの無駄な電力消費を回避することができ、同時に、充電残量の検出回数が増えても、バッテリー電圧が大きく降下する回数をそれ以下の必要最小限とすることもできる。よって、バッテリー寿命の長期化を図るとともに、バッテリー残量の判断精度を向上させることが可能となる。
【００３６】
ここで、本実施形態においては、発光用コンデンサ７の充電残量を検出することを目的として、充電量検出回路４とは別に残量検出回路１１を設けたものについて説明したが、両者は電流が流れている状態での発光用コンデンサ７の電圧を検出する点では同一の機能を有するものである。したがって、残量検出回路１１は廃止し、充電量検出回路４の検出結果をＣＰＵ１０へ送る構成としてもよい。但し、その場合、充電量検出回路４の回路構成は、検出結果をＣＰＵ１０で検出可能な電圧レベルに変換可能な構成とする必要がある。さらに、前述したＣＰＵ１０による充電制御は充電制御ＩＣ３に行わせる構成としてもよく、その場合は、ハーフシャッターが操作されたタイミングを示すタイミング信号をＣＰＵ１０から充電制御ＩＣ３に出力させればよい。
【００３７】
また、発光用コンデンサ７の充電残量を検出するタイミングをハーフシャッターが操作されたタイミングとしたが、充電残量の検出タイミングは、所定のタイミングであれば一定時間毎に繰り返し行うようにしても構わない。その場合であっても、前述したように充電残量が基準充電残量以上である状況下においては、バッテリー１の負荷が軽く無駄な電力消費が回避できる。言い換えると、充電残量の検出は一定時間毎に繰り返し行ったとしてもバッテリー１の消耗が少ないため、バッテリー寿命を維持しながら、少なくともキセノン管９の発光が可能な程度の一定以上の充電量を発光用コンデンサ７に定常的に確保しておくことができる。
【００３８】
また、本実施形態においては、発光用コンデンサ７の充電残量を検出した際には、その充電残量に関係なく（但し、満充電の時は除く）、常に発光用コンデンサ７が満充電となるまで充電動作を継続させる場合について説明したが、例えば前述したハーフシャッターの操作タイミング等での充電残量の検出時については、充電目標を前述した基準充電残量を下限として満充電よりも少ない充電状態としてもよい。
【００３９】
つまりハーフシャッターの操作タイミング等で実際に充電動作を行う場合には、発光用コンデンサ７が満充電となる以前の段階で充電動作を停止させるようにしてもよく、その場合、上記所定の充電状態を基準充電残量とする、すなわち発光用コンデンサ７の充電残量が基準充電残量以上であった場合には、充電残量の検出を目的とした充電動作を直ちに停止させるようにしても構わない。要は発光用コンデンサ７の充電残量を、少なくともキセノン管９の発光が可能な充電状態（１回しか発光できない状態を含む）に維持できればよい。
【００４０】
また、本実施形態では、前述した充電制御において、発光用コンデンサ７の充電残量の検出を可能とするため目標電圧値として当初設定する第１の電圧値が低速充電用の電圧値である場合について説明したが、第１の電圧値は、実際の充電動作に際しては使用せず、充電残量の検出のためだけに使用する電圧値としてもよい。その場合、前述したように発光用コンデンサ７の充電残量に応じて低速充電と高速充電との異なるモードでの充電動作を行う構成においては、低速充電時には、第１の電圧値よりも大きく、かつ高速充電時に設定する電圧値よりも小さい電圧値を設定することとなる。
【００４１】
さらに、第１の電圧値は、発光用コンデンサ７において前述した基準充電残量が確保可能な、つまり電荷の蓄積状態を所定の基準レベルとすることができる最低の電圧値としてもよい。その場合、前述した充電制御におけるステップＳ４では発光用コンデンサ７の充電残量が検出できた否かを確認し、検出ではなかった（電流が流れなかった）場合には、充電残量が基準充電残量以上である判断するとともに、検出できた（電流が流れた）場合には、充電残量が基準充電残量以上でないと判断し、その後の処理を行うようにすればよい。
【００４２】
また、本実施形態では、発光用コンデンサ７の充電残量に応じて低速充電と高速充電との２種類のモードでの充電動作を行う場合について説明したが、充電動作の種類として充電速度が異なる３種類以上のモードを用意しておき、発光用コンデンサ７の充電残量が少なくなる程より充電速度が速いモードでの充電動作を行うようにしてもよい。
【００４３】
その場合には、前述した基準充電残量としてレベルが異なる２種類以上の基準充電残量を決めておき、前記第１の電圧値に相当する電圧値として各々の基準充電残量に対応する複数の電圧値を決めておき、ハーフシャッターの操作タイミング等の所定のタイミングでの充電残量の検出時には、基準充電残量と第１の電圧値とを順に切り替えながら、前述した処理を繰り返し行えばよい。
【００４４】
さらに、前述したように基準充電残量として２種類以上の基準充電残量が決められている（充電動作の種類として３種類以上のモードが用意されている）場合を含め、前述した基準充電残量は可変であっても構わない。すなわちＣＰＵ１０を本発明の設定手段として機能させ、基準充電残量のレベルをユーザーによる所定の操作に応じて設定（変更）する構成としてもよい。
【００４５】
また、ＣＰＵ１０が、基準充電残量をカメラ装置の動作条件に応じて異なるレベルに自動的に設定する構成としてもよい。例えばカメラ装置に省電力モードが設定されているときには、省電力モードが設定されていないときよりも基準充電残量を低いレベルに設定したり、撮影モードとして１回のシャッター操作で複数回の撮影が連続して行われる連写モードが設定されているとき、つまり補助光を連続して発光する可能性が大きいときには、通常の撮影モードが設定されているときよりも基準充電残量を高いレベルに設定したりするようにしてもよい。
【００４６】
また、基準充電残量を、例えば被写体の明るさ等の外的な撮影環境に応じて異なるレベルに自動的に設定する構成としてもよい。
【図面の簡単な説明】
【００４７】
【図１】本発明の好ましい実施形態を示す、デジタルカメラの閃光装置に相当する部分を示した回路図である。
【図２】ハーフシャッターの操作タイミング行われる充電制御に関する処理手順を示したフローチャートである。
【符号の説明】
【００４８】
１    バッテリー
２    昇圧トランス
３    充電制御ＩＣ
４    充電量検出回路
５    第１の逆流防止用ダイオード
６    第２の逆流防止用ダイオード
７    発光用コンデンサ
８    発光制御素子
９    キセノン管
１０    ＣＰＵ
１１    残量検出回路
【図１】
2008182801.tif 000003
【図２】
2008182801.tif 000004